(57)【要約】【課題】  顧客に対してラベル上の金額を超える額を請求することを防止し、顧客及び店舗オペレータの信頼度を向上させる。【解決手段】  計量した重さと商品の税込み単価とに基づいて算出される税込み値段と税抜き値段に基づいて外税で計算した外税支払総額とを比較し（Ｓ６−１，Ｓ６−２）、税込み値段が外税支払総額よりも小さいと判断した場合（Ｓ６−２のＹ）、税込み値段が外税支払総額よりも小さくなった場合の税抜き値段から１円を差し引いた金額を新たな税抜き値段とし（Ｓ６−３）、この新たな税抜き値段に基づいて外税で計算した外税支払総額と税込み値段とを再度比較（Ｓ６−１）させる処理を、外税支払総額が税込み値段を超えなくなるまで（Ｓ６−２のＮ）、繰り返す。これにより、レジ精算の際に税抜き値段に基づいて外税で計算した場合であっても税込み値段を超えることがなくなる。【選択図】    図７
2005238741.tif 000002
【特許請求の範囲】
【請求項１】
商品の重さを計量し、計量した重さと前記商品の税込み単価とに基づいて算出される前記商品の税込み値段をラベルに印字して発行する電子秤装置において、
前記税込み値段から税額を算出する手段と、
前記税込み値段から前記税額を差し引いた金額を税抜き値段として算出する手段と、
前記税抜き値段に基づいて外税で計算した外税支払総額と前記税込み値段との比較の結果、前記税込み値段が前記外税支払総額よりも小さいと判断した場合、前記外税支払総額が前記税込み値段を超えなくなるように前記税抜き値段を補正する手段と、
を備えることを特徴とする電子秤装置。
【請求項２】
前記税抜き値段の補正は、前記税込み値段が前記外税支払総額よりも小さくなった場合の前記税抜き値段から１円を差し引いた金額を新たな税抜き値段とし、この新たな税抜き値段に基づいて外税で計算した外税支払総額と前記税込み値段とを再度比較させる処理を、前記外税支払総額が前記税込み値段を超えなくなるまで繰り返す、
ことを特徴とする請求項１記載の電子秤装置。
【請求項３】
前記外税支払総額が前記税込み値段を超えなくなるような前記税抜き値段を、バーコードに含めて印字する、
ことを特徴とする請求項１または２記載の電子秤装置。
【発明の詳細な説明】
【技術分野】
【０００１】
本発明は、商品の重さを計量し、計量した重さと商品の税込み単価とに基づいて算出される商品の税込み値段をラベルに印字して発行する電子秤装置に関する。
【背景技術】
【０００２】
従来、スーパーマーケットなどで販売する商品の品名や単価などの商品情報が記憶されたＰＬＵ（Price Look Up）メモリから計量する商品の単価などの情報を呼び出し、この単価と計量した商品の重さから値段を算出し、算出した値段をその他の商品情報とともにラベルに印字してラベルの発行を行うプリンタ付き電子料金秤が知られている（例えば、特許文献１参照）。
【０００３】
近時、税制改正により、消費者に対する「値札」などにおいて価格を表示する場合には消費税相当額を含んだ支払総額の表示を義務付ける「総額表示方式」が開始されることになっている。この「総額表示方式」によれば、肉の量り売りのように一定単位での価格表示についても「総額表示義務」の対象となっている。
【０００４】
したがって、前述したような電子料金秤から発行されるラベル表示においても、「総額表示方式」に従い、消費税相当額を含んだ支払総額を表示することが義務付けられることになる。
【０００５】
【特許文献１】特開２００３−１６５２９公報
【発明の開示】
【発明が解決しようとする課題】
【０００６】
ところが、肉の量り売りのように一定単位での価格表示を、消費税相当額を含んだ支払総額とした場合には、解決されねばならない課題が存在する。
【０００７】
具体的には、１００ｇ当りの単価（税込み）が１００円の商品を１０４ｇ購入した場合は、税込み値段（支払総額）が１０４円となる。この場合、消費税（５％）を含まない税抜き値段は、下記の式に示すように、１００円と算出される。
税抜き値段＝１０４−（１０４×５／１０５）＝１０４−４．９５２
＝１０４−４（小数点以下切捨て）
＝１００
このような場合、レジ精算の際に税込み値段（１０４円）に基づいて内税で計算すれば何の問題もないが、レジ精算の際に税抜き値段（１００円）に基づいて外税で計算した場合には、支払総額が
１００円（税抜き値段）＋１００円（税抜き値段）×０．０５＝１０５円
となる。つまり、レジ精算の際に算出した外税支払総額（１０５円）が税込み値段（１０４円）を超えることになるので、顧客に不信感を与えることになる。
【０００８】
本発明は、顧客に対してラベル上の金額を超える額を請求することを防止し、顧客及び店舗オペレータの信頼度を向上させることを目的とする。
【課題を解決するための手段】
【０００９】
本発明の電子秤装置は、商品の重さを計量し、計量した重さと前記商品の税込み単価とに基づいて算出される前記商品の税込み値段をラベルに印字して発行する電子秤装置において、前記税込み値段から税額を算出する手段と、前記税込み値段から前記税額を差し引いた金額を税抜き値段として算出する手段と、前記税抜き値段に基づいて外税で計算した外税支払総額と前記税込み値段との比較の結果、前記税込み値段が前記外税支払総額よりも小さいと判断した場合、前記外税支払総額が前記税込み値段を超えなくなるように前記税抜き値段を補正する手段と、を備える。
【００１０】
したがって、計量した重さと商品の税込み単価とに基づいて算出される税込み値段と税抜き値段に基づいて外税で計算した外税支払総額とが比較され、税込み値段が外税支払総額よりも小さいと判断した場合、外税支払総額が税込み値段を超えなくなるように税抜き値段が補正される。これにより、レジ精算の際に税抜き値段に基づいて外税で計算した場合であっても税込み値段を超えることがなくなる。
【発明の効果】
【００１１】
本発明によれば、レジ精算の際に税抜き値段に基づいて外税で計算される外税支払総額がラベル上に印字されている税込み値段を超えることはなくなることにより、顧客に対してラベル上の金額を超える額を請求することはなくなるので、顧客及び店舗オペレータの信頼度を向上させることができる。
【発明を実施するための最良の形態】
【００１２】
本発明の実施の一形態を図１ないし図９に基づいて説明する。本実施の形態は、例えば店員であるオペレータと顧客とがショーケースを介して対面し、ショーケース内に陳列されている惣菜や肉等を秤売りする惣菜店や精肉店において、ショーケースの上に載置して使用する対面用の電子秤装置に適用した例を示す。
【００１３】
ここで、図１は本実施の形態の電子秤装置１をオペレータ側から示す外観斜視図である。図１に示すように、この電子秤装置１には、入力を行うタッチパネル２を備えた各種表示を行うタッチスクリーン３、商品を計量するための秤部４、ラベルへの印字を行うプリンタ部１７（図２参照）に連通していてラベルを発行するラベル発行口５が設けられている。
【００１４】
次に、電子秤装置１に内蔵される各部の電気的接続について図２を参照して説明する。図２に示すように、電子秤装置１には、各種演算処理等を実行して各部を集中的に制御するＣＰＵ（Central Processing Unit）１１が設けられている。このＣＰＵ１１には、ＣＰＵ１１に実行させる制御プログラムを格納するFlashＲＯＭ（Read Only Memory）１２と、可変データを書換え自在に格納して各種メモリエリアとして利用されるＲＡＭ（Random Access Memory）１３とがシステムバス１９を介して接続されている。FlashＲＯＭ１２には、制御プログラムや後述する各種のファイルが格納されている。
【００１５】
このようなＣＰＵ１１には、システムバス１９を介してタッチスクリーン３の表示をコントロールするためのタッチスクリーンコントローラ１４、タッチパネル２からの入力をコントロールするタッチパネルコントローラ１５、商品を計量するための秤部４と接続するための秤インターフェース１６、ラベルへの印字を行うプリンタ部１７をコントロールするプリンタコントローラ１８が接続されている。
【００１６】
FlashＲＯＭ１２には、秤部４で計量した商品の重さと以下で説明するＰＬＵ情報１３ａに記憶されているその商品の税込み単価とから商品の価格である税込み値段を算出するプログラムなどが格納されている。
【００１７】
ＲＡＭ１３には、商品毎に各種情報が記憶されたＰＬＵ情報１３ａのエリア、商品の情報を印字するためのフォーマットを記憶する印字フォーマット１３ｂのエリア、印字するバーコードのタイプを記憶するバーコードタイプ１３ｃのエリア及びＰＬＵ情報１３ａから呼出した商品情報、税抜き値段である本体価格を記憶する本体価格情報１３ｄ、税込み値段である支払総額を記憶する支払総額情報１３ｅなどのエリアが形成されている。
【００１８】
ＰＬＵ情報１３ａが形成されたエリアは、品番毎に、商品名、原産地、１００ｇ当りの税込み単価、消費期限、加工日、保存方法、メッセージなどがタッチパネル２の入力により、又は設定されている定型文などを割付けることにより記憶されるようになっている。
【００１９】
このように記憶されるＰＬＵ情報１３ａのエリアは、例えば、図３の２１に示すように品番「１１０００１」には、商品名「牛肉肩ローススライス」、原産地「国産・米沢牛」、単価「８８０」、消費期限「２０００．３．３１」、加工日「２０００．３．３０」、保存方法「１」、メッセージ「１」のように記憶される。
【００２０】
図４は保存方法の割付けを示す説明図である。２２は保存方法の割付けを行うときのタッチスクリーン３の表示を示し、１から順に番号毎に「直射日光を避け、４℃以下保存の事。」、「直射日光を避け、１５℃以下保存の事。」、「冷蔵庫に保存してください。」、・・・、「完全密封をして保存してください。」などの定型文から割付けられるようになっている。本実施の形態では「直射日光を避け、４℃以下保存の事。」を割付けたので保存方法には「１」が記憶されている。
【００２１】
図５はメッセージの割付けを示す説明図である。２３はメッセージの割付けを行うときのタッチスクリーン３の表示を示し、１から順に番号毎に「あなたの町の××××屋が最高級の米沢牛を提供します。」、「あなたの町の××××屋が最高級の神戸牛を提供します。」、「あなたの町の××××屋が最高級の近江牛を提供します。」、「毎週木曜日はお肉の日です。」、・・・、「添加物は一切使用しておりません。」などの定型文から割付けられるようになっている。本実施の形態では「あなたの町の××××屋が最高級の米沢牛を提供します。」を割付けたのでメッセージには「１」が記憶されている。
【００２２】
印字フォーマット１３ｂのエリアは、図６に示すように、ラベル４１を４段に大きく分けている。第１段４１ａは、商品名及び原産地と、税込み値段（支払総額）と、税抜き値段である本体価格と、消費期限及び加工日とが４列で、さらに、税込み値段（支払総額）の表記が本体価格の表記より２倍ほど大きいサイズで表記されるフォーマットに設定されている。また、第２段４１ｂは、左側にバーコード及びそのバーコードの下に各種コードや価格を示すための数字、右側に計量した商品の税込み単価及び重さが２段になって表記され、第３段４１ｃは保存方法、第４段４１ｄはメッセージがラベルに表記されるフォーマットに設定されている。
【００２３】
バーコードタイプ１３ｃのエリアには種々のバーコードタイプから選択したバーコードタイプが設定されるようになっている。本実施の形態においてはバーコードの中の価格には税抜き値段を含めるように選択する。
【００２４】
このような電子秤装置１は、タッチパネル２の操作により、各種モードに変更することができ、例えば、設定モードにすると各種設定を行え、また、ラベル発行モードにするとラベルの発行ができるようになっている。
【００２５】
以下、このように各種エリアで所定事項が設定されている電子秤装置１で、オペレータが商品として「国産・米沢牛の牛肉ロース薄切り」を計量してラベルを発行し、その商品の包装にラベルを貼る処理を行うときの作用について図７のフローチャートを参照しつつ説明する。
【００２６】
オペレータは、まず、タッチパネル２を操作してラベル発行モードとし、「国産・米沢牛の牛肉ロース薄切り」の品番に応じて商品情報の呼び出しを行う（ステップＳ１）。そして、オペレータが「国産・米沢牛の牛肉ロース薄切り」を適量とり秤部４へ載せることで、商品計量が実行される（ステップＳ２）。
【００２７】
一般に、１００ｇ当りの税込み単価が１００円の商品を１０４ｇ購入して税込み値段（支払総額）が１０４円となる場合、消費税（５％）を含まない税抜き値段は１００円と算出される。このような場合において、レジ精算の際に税込み値段（１０４円）に基づいて内税で計算すれば何の問題もないが、レジ精算の際に税抜き値段（１００円）に基づいて外税で計算した場合には、支払総額が１０５円となる。つまり、レジ精算の際に算出した外税支払総額（１０５円）が税込み値段（１０４円）を超えることになるので、顧客に不信感を与えることになる。そこで、本実施の形態においては、「税抜き値段」の算出時に下記に示す補正処理を実施し、レジ精算の際に税抜き値段に基づいて外税で計算した場合であっても税込み値段を超えることがないように、「税抜き値段」を補正するようにしたものである。
【００２８】
具体的には、図７に示すように、税込み単価と重さに基づいて税込み値段（支払総額）Ａを算出する（ステップＳ３）。ここでは、１００ｇ当りの税込み単価が１００円の商品を秤部４で計量した商品の重さが１０４ｇである場合、税込み値段（支払総額）Ａは、
Ａ＝１００×１０４／１００＝１０４円
である。
【００２９】
次いで、税込み値段（支払総額）Ａに基づいて税額Ｃを算出する（ステップＳ４）。ここで、税込み値段（支払総額）Ａが１０４円の場合、税額Ｃは、
Ｃ＝Ａ×５／１０５＝１０４×５／１０５＝４．９５２＝４円（小数点以下切捨て）
である。
【００３０】
そして、税込み値段（支払総額）Ａ及び税額Ｃに基づいて税抜き値段Ｂを算出する（ステップＳ５）。すなわち、税込み値段（支払総額）Ａが１０４円で税額Ｃが４円である場合には、税抜き値段Ｂは、
Ｂ＝Ａ−Ｃ＝１０４−４＝１００円
である。
【００３１】
前述したように、税抜き値段Ｂが１００円であるとすると、レジ精算の際に税抜き値段Ｂ（１００円）に基づいて外税で計算した場合には外税支払総額が１０５円となり、問題が生じることになる。そこで、続くステップＳ６において、レジ精算の際に税抜き値段に基づいて外税で計算した場合であっても税込み値段を超えることがないように、税抜き値段Ｂを補正する処理を施す。
【００３２】
詳細には、税抜き値段Ｂに基づいて税額Ｃ´を算出する（ステップＳ６−１）。ここで、税抜き値段Ｂが１００円の場合、税額Ｃ´は、
Ｃ´＝Ｂ×５／１００＝１００×５／１００＝５円
となる。
【００３３】
続くステップＳ６−２では、税込み値段（支払総額）Ａと（税抜き値段Ｂ＋税額Ｃ´）とを比較して、税込み値段（支払総額）Ａが（税抜き値段Ｂ＋税額Ｃ´）よりも大きくなる（Ａ＜Ｂ＋Ｃ´）ようであれば、ステップＳ６−３に進んで税抜き値段Ｂから１円を引いて新たな税抜き値段Ｂとした後（Ｂ＝Ｂ−１）、再び新たな税抜き値段Ｂに基づいて税額Ｃ´を算出する（ステップＳ６−１）。例えば、税込み値段（支払総額）Ａが１０４円で税抜き値段Ｂが１００円で税額Ｃ´が５円の場合には、
１０４＜１００＋５
であるので（ステップＳ６−２のＹ）、ステップＳ６−３に進んで税抜き値段Ｂを９９円に補正することになる。
【００３４】
税抜き値段Ｂを９９円に補正すると、税額Ｃ´が４円（小数点以下切捨て）となり、
１０４≧９９＋４
であるので（ステップＳ６−２のＮ）、ステップＳ６の税抜き値段Ｂを補正する処理を終了して、ステップＳ７に進む。
【００３５】
図８は、「国産・米沢牛の牛肉ロース薄切り」を計量したときのタッチスクリーン３の表示例である。図８に示すように、秤部４で計量した商品の重さが１０４ｇであった場合、ＣＰＵ１１は１０４ｇとＰＬＵ情報１３ａに記憶されている１００ｇ当りの税込み単価１００円とから税込み値段（支払総額）１０４円を算出してＲＡＭ１３の支払総額情報１３ｅに記憶する。そして、その税込み値段（支払総額）１０４円に基づいて上述した処理により税抜き値段９９円を算出してＲＡＭ１３の本体価格情報１３ｄに記憶する。
【００３６】
３１はタッチスクリーン３の表示を示し、３１ａに「牛肉ロース薄切り（国産・米沢牛）」、３１ｂに品番「１１０００１」、３１ｃに重さ「１０４ｇ」、３１ｄに１００ｇ当りの税込み単価「１００円」、３１ｅに税抜き値段である本体価格「９９円」、３１ｆに税込み値段である支払総額「１０４円」などが表示されている。
【００３７】
オペレータはこのタッチスクリーン３の表示を確認してラベル発行キー（図示せず）を入力する。このラベル発行キーの入力により、ＣＰＵ１１は、ＰＬＵ情報１３ａから呼出された品番「１１０００１」、商品名「牛肉肩ロース薄切り」、原産地「国産・米沢牛」、単価「８８０」、消費期限「２０００．３．３１」、加工日「２０００．３．３０」、保存方法「１」つまり「直射日光を避け、４℃以下保存の事。」、メッセージ「１」つまり「あなたの町の××××屋が最高級の米沢牛を提供します。」と、本体価格情報１３ｄに記憶された「９９」と、支払総額情報１３ｅに記憶された「１０４」と、バーコードタイプ１３ｃに記憶されたバーコードタイプとを印字フォーマット１３ｂに記憶されたフォーマットでプリンタコントローラ１８を制御してプリンタ部１７によりラベルに印字を行う。
【００３８】
図９はこのようにして印字されるラベル４１を示す図である。このラベル４１は４つの段４１ａ〜４１ｄに分かれている。４１ａは４列に分かれていて、第１列は「牛肉ロース薄切り（国産・米沢牛）」が、その下に、「本体価格￥９９」が印字され、また、そのすぐ下の列には、「税込み値段￥１０４」が段中央に「本体価格￥９９」の文字より２倍以上の大きいサイズで、さらに、その下には、「消費期限：２０００．３．３１」と「加工日：２０００．３．３０」とが一列で印字されている。４１ｂは、略中央で左側部分と右側部分とに分けられている。左側部分はバーコードが印字されそのバーコードのすぐ下には各種コードを表示する数字「２２５０１６ １ ００９９ ６」が４つのパートに分かれて印字されている。この左から３つ目のパートの部分「００９９」は税抜き値段である本体価格を示し、バーコードに税抜き値段である本体価格が印字されていることを示している。右側部分はさらに２列に分かれて、上の列に「１００ｇ当りの税込み単価（円）１００円」が、下の列は「内容量（ｇ）１０４ｇ」が印字されている。４１ｃは、保存方法として「直射日光を避け、４℃以下保存の事。」が印字され、４１ｄには、メッセージとして「あなたの町の××××屋が最高級の米沢牛を提供します。」が印字されている。
【００３９】
このようにしてラベル４１がラベル発行口５から発行されると、オペレータはそのラベル４１を計量した商品の包装に貼り付け処理を終える。
【００４０】
そして、顧客が図９に示すラベル４１が貼り付けられた商品をチェックアウトカウンタに持って行き精算する場合には、ラベル４１のバーコードをレジでスキャニングして精算処理が行なわれる。この場合、ラベル４１のバーコードには税抜き値段である本体価格が含まれていることから、この税抜き値段に基づいて外税で計算した外税支払総額が算出されることになる。図９に示すラベル４１によれば税抜き値段が９９円で税込み値段が１０４円であるから、外税支払総額は下記の式により１０３円となる。
９９円（税抜き値段）＋９９円（税抜き値段）×０．０５＝１０３円
つまり、レジ精算の際に税抜き値段に基づいて外税で計算した場合であっても税込み値段を超えることはない。
【００４１】
このように本実施の形態によれば、計量した重さと商品の税込み単価とに基づいて算出される税込み値段と税抜き値段に基づいて外税で計算した外税支払総額とが比較され、税込み値段が外税支払総額よりも小さいと判断した場合、外税支払総額が税込み値段を超えなくなるように税抜き値段が補正される。これにより、レジ精算の際に税抜き値段に基づいて外税で計算した場合であっても税込み値段を超えることがなくなるので、顧客に対してラベル上の金額を超える額を請求することはなくなり、顧客及び店舗オペレータの信頼度を向上させることができる。
【００４２】
なお、本実施の形態においては、ＲＯＭ１２に格納したプログラムに消費税率５％を設定し消費税額及び支払額を算出するようなプログラムとしたが、消費税率が商品毎に異なるような場合には、ＰＬＵ情報１３ａに品番毎に消費税率を記憶できるようにし、この品番呼び出しのときに品番毎の消費税率を使用して消費税額や総支払額を算出するようにしてもよい。
【００４３】
また、本実施の形態は、ショーケースの上に載置して商品を計量してラベルを発行する対面用の電子秤装置に適用した場合について述べたが必ずしもこれに限定するものではなく、予め商品の個数や価格などを設定してラベルを複数枚発行する電子秤装置にも適用できる。
【図面の簡単な説明】
【００４４】
【図１】本発明の実施の一形態の電子秤装置をオペレータ側から示す外観斜視図である。
【図２】電子秤装置に内蔵される各部の電気的接続を示すブロック図である。
【図３】ＰＬＵ情報が記憶されたメモリエリアを示す説明図である。
【図４】保存方法の割付けを示す説明図である。
【図５】メッセージの割付けを示す説明図である。
【図６】印字フォーマットのエリアを示す説明図である。
【図７】商品の包装にラベルを貼る処理の流れを示すフローチャートである。
【図８】商品呼び出しの表示例を示す正面図である。
【図９】発行されたラベルの一例を示す平面図である。
【符号の説明】
【００４５】
１…電子秤装置、４１…ラベル
【図１】
2005238741.tif 000003
【図２】
2005238741.tif 000004
【図３】
2005238741.tif 000005
【図４】
2005238741.tif 000006
【図５】
2005238741.tif 000007
【図６】
2005238741.tif 000008
【図７】
2005238741.tif 000009
【図８】
2005238741.tif 000010
【図９】
2005238741.tif 000011